(57)【要約】【課題】水没の有無を容易にかつ正確に判定することが可能なガスメータを提供すること。【解決手段】ガスメータは、ガス流量を計測する流量計測部が内蔵されたケースと、ケースに設けられ、ガス流量の計測値を含むガス使用情報を表示する表示部と、ケースの外側から視認可能に設けられた水没確認部と、を備える。水没確認部は、ケースの内部に設けられ、水と反応して変色する水没検知シート６１と、一端６３ａが水没検知シート６１に接続され、他端６３ｂが垂下された線状の導水糸６３と、を備える。【選択図】図３
0003232762.tif 000002
【実用新案登録請求の範囲】
【請求項１】
ガス流量を計測する流量計測部が内蔵されたケースと、
前記ケースに設けられ、ガス流量の計測値を含むガス使用情報を表示する表示部と、
前記ケースの外側から一部が視認可能に設けられた水没確認部と、
を備え、
前記水没確認部は、
前記ケースの内部に設けられ、水と反応して変色する水没検知部材と、
一端が前記水没検知部材に接続され、他端が垂下された線状の導水部材と、
を備える、
ガスメータ。
【請求項２】
前記導水部材は、前記他端が、予め設定された検知水面レベルに達するように垂下されている、
請求項１に記載のガスメータ。
【請求項３】
前記ケースは、本体ケースと、前記本体ケースの前面を覆うフロントカバーと、から構成され、
前記水没検知部材は、前記フロントカバーに取り付けられ、
前記導水部材は、前記水没検知部材と接続された一端近傍部分が前記フロントカバーに形成されたガイド溝に収容されている、
請求項１または請求項２に記載のガスメータ。
【請求項４】
前記フロントカバーには、開口部が形成され、
前記開口部には、透光部材が嵌め込まれ、
前記水没検知部材は、前記透光部材における内面に貼り付けられている、
請求項３に記載のガスメータ。
【考案の詳細な説明】
【技術分野】
【０００１】
本考案は、ガスメータに関する。
【背景技術】
【０００２】
ガスの供給経路に設けられるガスメータは、使用したガスの流量を正確に計量するとともに、異常を感知してガスの供給を遮断する。このガスメータは、大雨等による水害や漏水による地下浸水によって水没した際に交換が必要となる場合がある。また、ガスメータの水没の有無は周辺状況から判断することが難しいため、このような状況においては、たとえ使用可能であったとしても、安全を確保する観点からガスメータを交換することとなる。
【０００３】
ここで、携帯電子機器において、筐体内部の水没確認紙を、筐体を構成するケースを外して確認することで、内部への水の浸入の有無を判定することが知られている（例えば、特許文献１，２参照）。
【先行技術文献】
【特許文献】
【０００４】
【特許文献１】特開２００８−１０７５００号公報
【特許文献２】特開２００２−１３９３９４号公報
【考案の概要】
【考案が解決しようとする課題】
【０００５】
ガスメータにおいて、特許文献１，２に記載の水没確認紙のような水没を検知するシール等をケースの外面に貼付して外側から水没の有無を確認することが考えられる。
【０００６】
しかし、屋外に設置されたガスメータでは、風雨にさらされることにより、水没を検知するシールが、雨に濡れることで水没有りを検知したり、劣化や剥離により水没確認機能を喪失するおそれがある。
【０００７】
本考案は、上述した事情に鑑みてなされたものであり、その目的は、水没の有無を容易にかつ正確に判定することが可能なガスメータを提供することにある。
【課題を解決するための手段】
【０００８】
本考案の上記目的は、下記構成により達成される。
（１）  ガス流量を計測する流量計測部が内蔵されたケースと、
前記ケースに設けられ、ガス流量の計測値を含むガス使用情報を表示する表示部と、
前記ケースの外側から一部が視認可能に設けられた水没確認部と、
を備え、
前記水没確認部は、
前記ケースの内部に設けられ、水と反応して変色する水没検知部材と、
一端が前記水没検知部材に接続され、他端が垂下された線状の導水部材と、
を備える、ガスメータ。
【０００９】
上記（１）の構成のガスメータによれば、大雨や漏水等によってケース内部に浸水して導水部材の他端が水に浸かると、導水部材の他端から水が吸い上げられ、水没検知部材に達する。導水部材により吸い上げられた水が水没検知部材に達することにより、水没検知部材が水によって変色することとなる。
したがって、水没確認部において、水没検知部材の変色の有無を視認することにより、ガスメータが導水部材の下端である他端を越えて水没したか否かを判断することができる。
このように、外部から水没検知部材の変色を目視確認することによって、水没によって使用不可となっているガスメータと、使用可能なガスメータとをそれぞれ容易にかつ正確に特定することができる。したがって、実際には使用可能であるガスメータを、安全確保のために使用不可として交換するようなガスメータの無駄な交換を回避できる。また、ケースの外側（外部側）から水没検知部材の変色の有無を視認できるため、ガスメータを分解することなく、水没によって使用不可となったか否かを容易に判断できる。
【００１０】
（２）  前記導水部材は、前記他端が、予め設定された検知水面レベルに達するように垂下されている、（１）に記載のガスメータ。
【００１１】
上記（２）の構成のガスメータによれば、例えば、浸水によって機能が喪失する電気・電子部品の位置を検知水面レベルとして設定することにより、水没によって使用不可となったガスメータを正確に特定することができる。
【００１２】
（３）  前記ケースは、本体ケースと、前記本体ケースの前面を覆うフロントカバーと、から構成され、
前記水没検知部材は、前記フロントカバーに取り付けられ、
前記導水部材は、前記水没検知部材と接続された一端近傍部分が前記フロントカバーに形成されたガイド溝に収容されている、（１）または（２）に記載のガスメータ。
【００１３】
上記（３）の構成のガスメータによれば、導水部材がガイド溝に収容されているので、導水部材をフロントカバーの内面における正確な位置に配置させることができる。また、導水部材は、水没検知部材との接続端である一端近傍部分がガイド溝に収容されているので、水没検知部材との接続箇所へ無理な力がかかるのを抑えることができ、水没検知部材と導水部材との良好な接続状態を長期にわたって維持させることができる。
【００１４】
（４）  前記フロントカバーには、開口部が形成され、
前記開口部には、透光部材が嵌め込まれ、
前記水没検知部材は、前記透光部材における内面に貼り付けられている、（３）に記載のガスメータ。
【００１５】
上記（４）の構成のガスメータによれば、風雨による水没検知部材の劣化や剥離を抑えつつ、フロントカバーの開口部に嵌め込まれた導光部材を介してフロントカバーの前方側から水没検知部材の変色の有無を視認し、ガスメータの水没の有無を容易に判断できる。
【考案の効果】
【００１６】
本考案によれば、水没の有無を容易にかつ正確に判定することが可能なガスメータを提供できる。
【００１７】
以上、本考案について簡潔に説明した。更に、以下に説明される考案を実施するための形態（以下、「実施形態」という。）を添付の図面を参照して通読することにより、本考案の詳細は更に明確化されるであろう。
【図面の簡単な説明】
【００１８】
【図１】図１は、本実施形態に係るガスメータの正面図である。
【図２】図２は、フロントカバーを外したガスメータの正面図である。
【図３】図３は、フロントカバーの内面側から視た正面図である。
【図４】図４は、フロントカバーに装着される表示カバーの平面図である。
【図５】図５は、図３におけるＡ−Ａ断面図である。
【図６】図６は、変形例１に係る水没確認部の断面図である。
【図７】図７は、変形例２に係る水没確認部の断面図である。
【考案を実施するための形態】
【００１９】
以下、本考案に係る実施の形態の例を、図面を参照して説明する。
図１は、本実施形態に係るガスメータの正面図である。
【００２０】
図１に示すように、本実施形態に係るガスメータ１０は、ケース３０と、表示窓１１と、復帰ボタン１２とを有している。また、ガスメータ１０には、ケース３０の上部に、流入部１５と、流出部１６とが設けられている。ガスメータ１０は、ケース３０の内部に流量計測部（図示略）が設けられており、流入部１５及び流出部１６は、それぞれ流量計測部に繋げられている。流量計測部は、流入部１５から送り込まれて流出部１６から送り出されるガスの流量を計測する。また、流量計測部は、遮断弁（図示略）を備えている。遮断弁は、例えば、一定量のガスが長時間流れた場合、地震を検知した場合、ガスの圧力が低下した場合、ガス漏れや異常燃焼を警報する警報器が作動した場合などに流路を閉じてガスの流れを遮断する。
【００２１】
表示窓１１には、その中央に表示部２１が設けられている。この表示部２１には、流量計測部によって計測されたガスの流量や警報等のガス使用情報が表示される。また、表示窓１１は、下方における一側寄りの隅に、水没確認部２２を備えている。ガスメータ１０では、表示窓１１における水没確認部２２の一部を外側から目視することにより、ガスメータ１０の水没の有無を容易に判定することが可能とされている。
【００２２】
復帰ボタン１２は、表示窓１１の側方に配置されている。この復帰ボタン１２は、操作者によって押下可能なボタンであり、この復帰ボタン１２が押下されることにより、例えば、流路を閉鎖している遮断弁が開放される。
【００２３】
図２は、フロントカバーを外したガスメータの正面図である。図３は、フロントカバーの内面側から視た正面図である。図４は、フロントカバーに装着される表示カバーの平面図である。図５は、図３におけるＡ−Ａ断面図である。
【００２４】
ガスメータ１０において、ケース３０は、図２に示す本体ケース３１と、図３に示すフロントカバー３２とからなる。フロントカバー３２は、本体ケース３１の前面側に、例えば、ネジ止めされて組付けられる。これらの本体ケース３１及びフロントカバー３２は、例えば、合成樹脂から成形されている。
【００２５】
図２に示すように、本体ケース３１は、前面側が開放された凹状に形成され、内部が収容凹部４０とされている。この収容凹部４０には、流量計測部及び遮断弁が設けられ、この流量計測部及び遮断弁の前方側に回路基板４１が設けられている。
【００２６】
回路基板４１には、表示部２１を構成する液晶表示装置４３及び復帰ボタン１２を介して押下されるスイッチ４５が実装されている。さらに、回路基板４１には、コネクタ、ＩＣ、基板スイッチあるいは端子台などの各種の電気・電子部品４７が実装されている。
【００２７】
図３に示すように、フロントカバー３２は、表示窓１１に対応した位置に装着凹部５１を有している。この装着凹部５１には、フロントカバー３２の内側から、表示カバー５３が嵌め込まれている。表示カバー５３は、フロントカバー３２に対して全周にわたってシールされている。
【００２８】
表示カバー５３は、例えば、ガラス板や樹脂板からなる透明な板体である。図４に示すように、表示カバー５３には、その内面側に、シルクスクリーン印刷が施されている。これにより、表示カバー５３は、シルクスクリーン印刷がされた遮光部５５と、シルクスクリーン印刷がされていない透光部５７Ａ，５７Ｂとを有している。透光部５７Ａは、矩形状の領域からなり、フロントカバー３２を本体ケース３１へ組付けた状態で、本体ケース３１の液晶表示装置４３に対応した位置に配置される。透光部５７Ｂは、円形状に形成されており、矩形状の透光部５７Ａに対して一側部の下方側に外れた位置に設けられている。
【００２９】
図５に示すように、表示カバー５３の内面側には、透光部５７Ｂに、水と反応して変色する水没検知シート（水没検知部材）６１が貼り付けられている。例えば、この水没検知シート６１は、水が付着することにより、白色から赤色に変色する。水没検知シート６１は、円形状に形成されており、透光部５７Ｂを覆うように表示カバー５３の内面側に貼り付けられている。この水没検知シート６１は、表示カバー５３の外面側から透光部５７Ｂを通して視認可能とされている。
【００３０】
図３に示すように、水没検知シート６１には、導水糸（導水部材）６３の一端６３ａが接続されている。導水糸６３は、他端６３ｂ側が垂下されている。この導水糸６３は、毛細管現象により、水を導水する線状の部材である。そして、この導水糸６３の他端６３ｂに水が付着すると、この他端６３ｂに付着した水は、毛細管現象によって一端６３ａへ向かって移動し、水没検知シート６１に達する。水没検知シート６１及び導水糸６３は、水没確認部２２を構成し、表示カバー５３の外面側から、水没確認部２２の一部である水没検知シート６１が視認可能とされる。
【００３１】
フロントカバー３２は、その内面における装着凹部５１の下部に、幅方向に沿う突条部６４を有しており、この突条部６４には、ガイド溝６５が形成されている。このガイド溝６５は、表示カバー５３の水没検知シート６１の貼り付け位置の近傍に形成されており、下方へ向かって側方へ傾斜されている。このガイド溝６５には、水没検知シート６１から引き出された導水糸６３の一端６３ａの近傍部分が収容されている。このガイド溝６５には、その両縁部に掛け渡すようにカバーシール６７が貼り付けられており、このカバーシール６７によって、導水糸６３が収容されたガイド溝６５の開放側が塞がれている。これにより、ガスメータ１０の輸送時の振動等によってガイド溝６５に収容された導水糸６３がガイド溝６５から抜け出すのが抑えられている。
【００３２】
導水糸６３の他端６３ｂは、予め設定された検知水面レベルＷＬに達するように垂下されている（図１参照）。この検知水面レベルＷＬは、ガスメータ１０が水に浸かった際に、水によってガスメータ１０の機能に影響が生じるおそれのある水面の位置である。検知水面レベルＷＬは、例えば、本体ケース３１の収容凹部４０に収容されている回路基板４１の下縁の位置や、回路基板４１に実装された端子台などの電気・電子部品４７の位置である。
【００３３】
本体ケース３１にフロントカバー３２を組付けると、透光部５７Ａが液晶表示装置４３の前面側に配置される。これにより、透光部５７Ａを通して液晶表示装置４３の表示が視認可能な表示部２１が構成される。また、本体ケース３１にフロントカバー３２を組付けると、復帰ボタン１２がスイッチ４５に対応する位置に配置される。これにより、復帰ボタン１２を押下することにより、スイッチ４５が作動される。
【００３４】
ここで、上記構造のガスメータ１０の設置場所が、大雨や漏水等によって浸水した状況において、その水位がガスメータ１０の検知水面レベルＷＬに達すると、導水糸６３の他端６３ｂが水に浸かる。すると、導水糸６３では、毛細管現象によって他端６３ｂから水が吸い上げられる。そして、この導水糸６３にしみ込んだ水は、導水糸６３の一端６３ａに向かって移動し、水没検知シート６１に達する。これにより、水没検知シート６１が水によって変色することとなる。この変色した水没検知シート６１は、ガスメータ１０の表示窓１１における水没確認部２２で目視可能である。したがって、この水没確認部２２をガスメータ１０の外側から目視することにより、作業者は、ガスメータ１０の水没の有無（水没によって使用不可となったか否か）を容易に判定することができる。
【００３５】
以上、説明したように、本実施形態に係るガスメータ１０によれば、水没確認部２２において、水没検知シート６１の変色の有無を視認することにより、ガスメータ１０が導水糸６３の下端である他端６３ｂを越えて水没したか否かを判断することができる。
【００３６】
これにより、水没によって使用不可となっているガスメータ１０と、使用可能なガスメータ１０とをそれぞれ目視によって容易にかつ正確に特定することができる。したがって、実際には使用可能であるガスメータ１０を、安全確保のために使用不可として交換するようなガスメータ１０の無駄な交換を回避できる。また、ケース３０の外側から水没検知シート６１の変色の有無を視認できるため、ガスメータ１０を分解することなく、水没したか否かを容易に判断できる。
【００３７】
また、導水糸６３は、他端６３ｂが、浸水によって機能が喪失する電気・電子部品４７の位置等で設定された検知水面レベルＷＬに達するように垂下されているので、水没によって使用不可となったガスメータ１０を正確に特定することができる。
【００３８】
しかも、導水糸６３がガイド溝６５に収容されているので、導水糸６３をフロントカバー３２の内面における正確な位置に配置させることができる。また、導水糸６３は、水没検知シート６１との接続端である一端６３ａの近傍部分がガイド溝６５に収容されているので、水没検知シート６１との接続箇所へ無理な力がかかるのを抑えることができる。このため、水没検知シート６１と導水糸６３との良好な接続状態を長期にわたって維持させることができる。
【００３９】
また、水没検知シート６１は、表示カバー５３における内面に貼り付けられているので、風雨による水没検知シート６１の劣化や剥離を抑えることができる。さらに、フロントカバー３２の前方側から表示カバー５３を介して水没検知シート６１の変色の有無を視認し、ガスメータ１０の水没の有無を容易に判定することができる。
【００４０】
次に、図６及び図７を参照して、他の構造を有する変形例に係る水没確認部について説明する。尚、図６及び図７において、水没検知シート６１に接続する導水糸６３は、図示を省略する。
（変形例１）
図６は、変形例１に係る水没確認部の断面図である。
図６に示すように、変形例１では、フロントカバー３２に円形状の開口部７０がケース３０（フロントカバー３２）の内外に貫通して形成されており、この開口部７０の内側に、透光部材７１が配置されている。この透光部材７１には、内側から水没検知シート６１が貼り付けられている。開口部７０においてガスメータ１０の外側から透光部材７１を介して水没検知シート６１が視認可能とされている。
【００４１】
（変形例２）
図７は、変形例２に係る水没確認部の断面図である。
図７に示すように、変形例２では、フロントカバー３２に円形状の開口部８０がケース３０（フロントカバー３２）の内外に貫通して形成されており、この開口部８０には、フロントカバー３２の内側から凸状の透光部材８１が液密的に嵌め込まれている。この透光部材８１には、フロントカバー３２の内側から水没検知シート６１が貼り付けられている。そして、この変形例２では、開口部８０においてガスメータ１０の外側から透光部材８１を介して水没検知シート６１が視認可能とされている。
【００４２】
上記の変形例１，２においても、水没確認部２２において、水没検知シート６１の変色の有無を視認することにより、ガスメータ１０が導水糸６３の下端である他端６３ｂを越えて水没したか否かを判断することができる。
【００４３】
尚、本考案は、上述した実施形態に限定されるものではなく、適宜、変形、改良、等が可能である。その他、上述した実施形態における各構成要素の材質、形状、寸法、数、配置箇所、等は本考案を達成できるものであれば任意であり、限定されない。
【００４４】
ここで、上述した本考案に係るガスメータの実施形態の特徴をそれぞれ以下［１］〜［４］に簡潔に纏めて列記する。
［１］  ガス流量を計測する流量計測部が内蔵されたケース（３０）と、
前記ケース（３０）に設けられ、ガス流量の計測値を含むガス使用情報を表示する表示部（２１）と、
前記ケース（３０）の外側から一部が視認可能に設けられた水没確認部（２２）と、
を備え、
前記水没確認部（２２）は、
前記ケース（３０）の内部に設けられ、水と反応して変色する水没検知部材（水没検知シート６１）と、
一端（６３ａ）が前記水没検知部材（水没検知シート６１）に接続され、他端（６３ｂ）が垂下された線状の導水部材（導水糸６３）と、
を備える、ガスメータ（１０）。
［２］  前記導水部材（導水糸６３）は、前記他端（６３ｂ）が、予め設定された検知水面レベル（ＷＬ）に達するように垂下されている、［１］に記載のガスメータ。
［３］  前記ケース（３０）は、本体ケース（３１）と、前記本体ケース（３１）の前面を覆うフロントカバー（３２）と、から構成され、
前記水没検知部材（水没検知シート６１）は、前記フロントカバー（３２）に取り付けられ、
前記導水部材（６３）は、前記水没検知部材（水没検知シート６１）と接続された一端（６３ａ）近傍部分が前記フロントカバー（３２）に形成されたガイド溝（６５）に収容されている、［１］または［２］に記載のガスメータ。
［４］  前記フロントカバー（３２）には、開口部（８０）が形成され、
前記開口部（８０）には、透光部材（８１）が嵌め込まれ、
前記水没検知部材（水没検知シート６１）は、前記透光部材（８１）における内面に貼り付けられている、［３］に記載のガスメータ。
【符号の説明】
【００４５】
１０：ガスメータ
１１：表示窓
２１：表示部
２２：水没確認部
３０：ケース
３１：本体ケース
３２：フロントカバー
５３：表示カバー
６１：水没検知シート（水没検知部材）
６３：導水糸（導水部材）
６３ａ：一端
６３ｂ：他端
６５：ガイド溝
７０，８０：開口部
７１，８１：透光部材
ＷＬ：検知水面レベル
【図１】
0003232762.tif 000003
【図２】
0003232762.tif 000004
【図３】
0003232762.tif 000005
【図４】
0003232762.tif 000006
【図５】
0003232762.tif 000007
【図６】
0003232762.tif 000008
【図７】
0003232762.tif 000009